(57)【特許請求の範囲】
【請求項１】
識別コードを記憶・送信するための無線周波数識別タグと、前記無線周波数識別タグに電気的に接続され、且つそれぞれ指示データに対応し、また、前記無線周波数識別タグが前記識別コードを送信する時にその中の一つがランダムで駆動されて指示信号を生成する複数の指示ユニットと、選択的にこれら指示ユニットにおける少なくとも１つを機能させなくし、これら指示ユニットにおける他の１つがランダムで駆動されてまた１つの指示信号を生成させるための動作モード設定ユニットとを含むデータ生成モジュールと、
前記識別コードを受信し、ランダムで駆動された前記指示ユニットに対応する前記指示データを読み込み、且つ前記識別コードを操作指令として組み合わせる無線周波数読込器と、前記無線周波数読込器に電気的に接続され、且つ少なくともランダムで駆動された前記指示ユニットに対応する前記指示データ及び操作命令を出力する出力ユニットとを含み、前記データ生成モジュールに対応して設けられるデータ読込モジュールと、
を含むデータランダム選択装置。
【請求項２】
前記データ生成モジュールは、これら指示ユニットに電気的に接続されてランダムでこれら指示ユニットの１つを駆動するためのランダム制御ユニットを更に含む請求項１に記載のデータランダム選択装置。
【請求項３】
前記データ生成モジュールは、前記無線周波数識別タグに電気的に接続され、前記無線周波数識別タグを駆動して前記識別コードを再び送信し、且つ前記ランダム制御ユニットを触発して再びランダムでこれら指示ユニットの１つを駆動してまた１つの指示信号を生成させるためのリセットユニットを更に含む請求項２に記載のデータランダム選択装置。
【請求項４】
前記出力ユニットは、表示画面、スピーカー又はその組み合わせであってもよく、これら指示ユニットが複数のパイロットランプを含む請求項１に記載のデータランダム選択装置。
【請求項５】
それぞれ、識別コードを記憶・送信するための無線周波数識別タグと、前記無線周波数識別タグに電気的に接続され、且つそれぞれ指示データに対応し、また、前記無線周波数識別タグが前記識別コードを送信する時にその中の一つがランダムで駆動されて指示信号を生成する複数の指示ユニットと、選択的にこれら指示ユニットにおける少なくとも１つを機能させなくし、これら指示ユニットにおける他の１つがランダムで駆動されてまた１つの指示信号を生成させるための動作モード設定ユニットとを含む複数のデータ生成モジュールと、
これらデータ生成モジュールにおいてこれら無線周波数識別タグが送信したこれら識別コードを受信し、これらデータ生成モジュールにおいてランダムで駆動されたこれら指示ユニットに対応するこれら指示データを読み込み、且つ前記識別コードを操作指令として組み合わせる無線周波数読込器と、前記無線周波数読込器に電気的に接続され、且つ少なくともこれらデータ生成モジュールにおいてランダムで駆動されたこれら指示ユニットに対応するこれら指示データ及び操作指令を出力する出力ユニットとを含み、これらデータ生成モジュールに対応して設けられるデータ読込モジュールと、
を含むデータランダム選択装置。
【請求項６】
これらデータ生成モジュールのそれぞれが生成した前記識別コード及びランダムで駆動された前記指示ユニットに対応する前記指示データを組み合わせて１組の識別データを形成し、これらデータ生成モジュールが生成したこれら識別データを組み合わせて１組の操作指令を形成し、前記出力ユニットは前記１組の操作指令を出力する請求項５に記載のデータランダム選択装置。
【請求項７】
これらデータ生成モジュールのそれぞれは、これら指示ユニットに電気的に接続され、且つランダムでこれら指示ユニットの１つを駆動するためのランダム制御ユニットを更に含む請求項５に記載のデータランダム選択装置。
【請求項８】
これらデータ生成モジュールのそれぞれは、前記無線周波数識別タグに電気的に接続され、前記無線周波数識別タグを駆動して前記識別コードを再び送信し、且つ前記ランダム制御ユニットを触発して再びランダムでこれら指示ユニットの１つを駆動してまた１つの指示信号を生成させるためのリセットユニットを更に含む請求項７に記載のデータランダム選択装置。
【請求項９】
前記出力ユニットは、表示画面、スピーカー又はその組み合わせであってもよく、これら指示ユニットが複数のパイロットランプを含む請求項５に記載のデータランダム選択装置。
【発明の詳細な説明】
【技術分野】
【０００１】
本発明は電子装置に関し、特に、データランダム選択装置に関する。
【背景技術】
【０００２】
市販のボードゲーム又は賭博ゲーム（例えば、モノポリー、スロットマシン、ロシアンルーレット等）は、常に様々なデータランダム選択装置を用いてランダムで複数の選択肢から１つを選ぶ結果を生成する必要がある。例えば、モノポリーゲームはサイコロでプレーヤーが歩くステップ数を決定し、サイコロの上向き面の点数がステップの数であり、サイコロの６面の各点数が有りうる各結果を示す。ロシアンルーレットは、ルーレット上の複数の溝が複数の結果に対応して、複数の有りうる選択肢からランダムで１つを選ぶ。
【発明の概要】
【発明が解決しようとする課題】
【０００３】
しかしながら、これらランダム選択装置の有りうる選択肢は一定であり、選択肢の数と各選択肢の確率を変えようとする場合、異なるハードウェアを用いる必要がある。例えば、５人から１人を選ぶ場合、サイコロは６つから１つを選ぶ結果しか生成できないから、このような動作には対応できない。また、多くのランダム選択装置（例えば、ロシアンルーレット）は、体積が巨大でしかも重量が重いため、携帯が不便であり、且つコストが高い。
【０００４】
このため、軽便性と携帯性を有し、且つプログラムで制御でき（ｐｒｏｇｒａｍｍａｂｌｅ）、変換できる選択肢の組み合わせを備えるランダム選択装置が求められている。
【課題を解決するための手段】
【０００５】
このため、本発明の一態様はデータランダム選択装置を提供し、前記問題を解決する。
【０００６】
本発明の一実施形態は、データ生成モジュール及びデータ読込モジュールを含むデータランダム選択装置を提供する。前記データ生成モジュールは、無線周波数識別タグ、複数の指示ユニット及び動作モード設定ユニットを含み、前記無線周波数識別タグは識別コードを記憶・送信し、これら指示ユニットは無線周波数識別タグに電気的に接続され、且つそれぞれ指示データに対応し、また、これら指示ユニットの１つは、無線周波数識別タグが識別コードを送信する場合に、ランダムで駆動されて指示信号を生成する。前記動作モード設定ユニットは、選択的にこれら指示ユニットにおける少なくとも１つを機能させなくし、これら指示ユニットにおける他の１つをランダムで駆動してまた１つの指示信号を生成させる。前記データ読込モジュールは、前記データ生成モジュールに対応して設けられ、無線周波数読込器及び出力ユニットを含む。前記無線周波数読込器は、識別コードを受信し、ランダムで駆動された指示ユニットに対応する指示データを読み込み、且つ前記識別コードを操作指令として組み合わせる。前記出力ユニットは、無線周波数読込器に電気的に接続され、且つ少なくともランダムで駆動された指示ユニットに対応する指示データ及び操作指令を出力する。
【０００８】
また一実施例において、データランダム選択装置のデータ生成モジュールは、これら指示ユニットに電気的に接続されてランダムでこれら指示ユニットの１つを駆動するためのランダム制御ユニットを更に含む。
【０００９】
更に一実施例において、データランダム選択装置のデータ生成モジュールは、前記無線周波数識別タグに電気的に接続され、前記無線周波数識別タグを駆動して識別コードを再び送信し、且つ前記ランダム制御ユニットを触発してランダムでこれら指示ユニットの１つを再び駆動してまた１つの指示信号を生成させるためのリセットユニットを更に含む。
【００１０】
また一実施例において、データランダム選択装置の出力ユニットは、表示画面、スピーカー又は両者の組み合わせであってもよく、これら指示ユニットが複数のパイロットランプであってもよい。
【００１１】
本発明のまた一実施形態は、複数のデータ生成モジュール及びデータ読込モジュールを含むデータランダム選択装置を提供する。
【００１２】
前記各データ生成モジュールは、いずれも無線周波数識別タグ、複数の指示ユニット及び動作モード設定ユニットを含み、前記無線周波数識別タグは識別コードを記憶・送信し、これら指示ユニットは前記無線周波数識別タグに電気的に接続され、且つそれぞれ指示データに対応し、また、これら指示ユニットの１つは、無線周波数識別タグが識別コードを送信する時に、ランダムで駆動されて指示信号を生成する。前記動作モード設定ユニットは、選択的にこれら指示ユニットにおける少なくとも１つを機能させなくし、これら指示ユニットにおける他の１つをランダムで駆動してまた１つの指示信号を生成させる。前記複数のデータ読込モジュールは、前記データ生成モジュールに対応して設けられ、且つ前記各データ読取モジュールはいずれも無線周波数読込器及び出力ユニットを含み、前記無線周波数読込器は前記複数のデータ生成モジュールにおいて各無線周波数識別タグが送信したこれら識別コードを受信し、前記複数のデータ生成モジュールにおいてランダムで駆動されたこれら指示ユニットに対応する指示データを読み込み、且つ前記識別コードを操作指令として組み合わせる。前記出力ユニットは、無線周波数読込器に電気的に接続され、且つ少なくとも前記複数のデータ生成モジュールにおいてランダムで駆動されたこれら指示ユニットに対応する指示データ及び操作指令を出力する。
【００１３】
一実施例において、前記複数のデータ生成モジュールのそれぞれが生成する各識別コード及びランダムで駆動される各指示ユニットに対応する指示データを組み合わせて１組の識別データを形成し、前記複数のデータ生成モジュールが生成する複数組の識別データを組み合わせて１組の操作指令を形成し、出力ユニットが当該1組の操作指令を出力する。
【００１５】
また一実施例において、前記複数のデータ生成モジュールのそれぞれは、これら指示ユニットに電気的に接続されてランダムでこれら指示ユニットの１つを駆動するためのランダム制御ユニットを更に含む。
【００１６】
更に一実施例において、前記各データ生成モジュールはいずれも、前記無線周波数識別タグに電気的に接続され、前記無線周波数識別タグを駆動して識別コードを再び送信し、且つ前記ランダム制御ユニットを触発してランダムでこれら指示ユニットの１つを再び駆動してまた１つの指示信号を生成させるためのリセットユニットを含む。
【００１７】
また一実施例において、前記データランダム選択装置の出力ユニットは、表示画面、スピーカー又は両者の組み合わせであってもよく、これら指示ユニットが複数のパイロットランプであってもよい。
【発明の効果】
【００１８】
前記により、本発明が提供するランダム選択装置は、軽便性と携帯性を有し、且つ単一装置で複数種類の選択モードを実施でき、より大きい使用柔軟性を提供する。
【図面の簡単な説明】
【００１９】
下記図面の簡単な説明は、本発明の前記または他の目的、特徴、メリット、実施形態をより分かりやすくするためのものである。
【図１】本発明の一実施形態によるデータランダム選択装置を示す図である。
【図２】本発明の一実施例による受動的なデータ生成モジュールの内部回路配置を示すブロック図である。
【図３】本発明の一実施例による能動的なデータ生成モジュールの内部回路配置を示すブロック図である。
【図４】本発明のその他の実施形態によるデータランダム選択装置を示す図である。
【発明を実施するための形態】
【００２０】
本開示内容の記述を更に詳細で完備するように、以下、本発明の実施形態と具体的な実施例に対して説明的な記述を提出するが、これは本発明を実施・運用する具体的な実施例の唯一の形式ではない。実施形態に複数の具体的な実施例の特徴及びこれら具体的な実施例を構成・操作する方法の工程とその順序が含まれる。しかしながら、その他の具体的な実施例によって同一又は均等な機能と工程順序を達成してもよい。
【００２１】
本発明の実施例は、少なくともデータ生成モジュール及びデータ読込モジュールを含むデータランダム選択装置を提供する。データ生成モジュールは、無線周波数識別タグ及び複数の指示ユニットを含む。これら指示ユニットは、本装置が指示する複数の選択肢を表し、各選択肢が１つの指示データに対応するため、各指示ユニットが１つの指示データに対応する。操作する時に、無線周波数識別タグ内部の回路が動作した後、ランダムで前記複数の選択肢から１つを選び、この選ばれた選択肢に対応する指示ユニットが起動され（例えば、前記指示ユニットがＬＥＤパイロットランプであれば、選ばれた選択肢に対応する該ＬＥＤ灯が点灯される）、その他の選ばれなかった選択肢に対応する指示ユニットは起動されない。また、無線周波数識別タグに１つの識別コードを記憶し、当該識別コードが前記選ばれた選択肢に対応する指示データに合併されて１組の識別データとなり、そして当該1組の識別データが前記データ読込モジュールに伝送される。
【００２２】
前記データ読込モジュールは、少なくとも無線周波数読込器及び出力ユニットを含み、無線周波数読込器は前記識別データを受信し、識別データは最後に出力ユニットに出力される。前記出力ユニットが表示画面であれば、識別データが表示画面に表示される。出力ユニットがスピーカーであれば、識別データが音声形式で出力される。
【００２３】
本発明の実施例において、データ生成モジュールは、リセットユニットを更に含んでもよく、当該リセットユニットが触発された後、前記識別データがクリアされ、前記データ生成モジュールがプリセットされた識別データを前記データ読込モジュールに送信し、その内、当該プリセットされた識別データは前記識別コードだけを含んでもよく、そして当該プリセットされた識別データは出力ユニットに出力される。それとともに、データ生成モジュールは新しい1巡の動作を開始してランダムで前記複数の選択肢から１つを選ぶ。なお、本発明の実施例のデータ生成モジュールには、動作モード設定ユニットが更に設けられ、選択可能な選択肢数を制御する。
【００２４】
図１を参照する。それは本発明の一実施形態によるデータランダム選択装置を示す図である。
【００２５】
データランダム選択装置１００は、データ生成モジュール１０１及びデータ読込モジュール２０１を含む。データ生成モジュール１０１とデータ読込モジュール２０１はプリセット距離（例えば、一般的な無線周波数操作に必要な応答距離）内に接近すると、データ生成モジュールが応答生成電源によって動作を開始し、ランダムで選択されたデータを１組生成し、且つこのランダムで選択されたデータをデータ読込モジュール２０１に伝送して出力し又は表示する。
【００２６】
データ生成モジュール１０１は、無線周波数識別タグ１０２、６つのＬＥＤパイロットランプ（即ち、前記複数の指示ユニット、番号１〜６）１０３、リセットボタン１０４、アンテナ１０６及び動作モード設定インターフェース１０５を含む。ただし、前記ＬＥＤパイロットランプ１０３の数は、一例であり、本発明を限定するものではない。前記ＬＥＤパイロットランプ１０３、リセットボタン１０４、動作モード設定インターフェース１０５及びアンテナ１０６は、いずれも無線周波数識別タグ１０２に電気的に接続される。無線周波数識別タグ１０２は、識別コードを記憶・送信する。ＬＥＤパイロットランプ１０３は、それぞれ指示データに対応し、且つＬＥＤ灯１０３の１つが、無線周波数識別タグ１０２が識別コードを送信する時にランダムで駆動されて点灯され、これにより指示信号を生成する。本実施例のプリセットされたモード下で、データ生成モジュール１０１は、選択肢１〜６を有し、且つ各選択肢が各番号１〜６のＬＥＤパイロットランプ１０３に対応する。データ読込モジュール２０１は、無線周波数読込器２０２、アンテナ２０４及び表示画面２０３を含み、且つ無線周波数読込器２０２が表示画面２０３に電気的に接続される。無線周波数読込器２０２は、上記識別コードを受信し、且つランダムで駆動されたＬＥＤ灯１０３に対応する指示データを読み込む。表示画面は、ランダムで駆動されたＬＥＤ灯１０３に対応する指示データを出力する。
【００２７】
操作上、無線周波数読込器２０２がアンテナ２０４により無線周波数信号を送信し、無線周波数識別タグ１０２がアンテナ１０６により上記無線周波数信号を受信した後、番号１〜６のＬＥＤ灯１０３は、ランダムでプリセットされた時間点滅し、当該プリセットされた時間の後、選ばれた選択肢に対応するＬＥＤパイロットランプ１０３だけがランダムで駆動されて点灯し、その他のＬＥＤパイロットランプ１０３は消灯する。例えば、データ生成モジュール１０１は選択肢である「３」に対応する指示データを生成すると、最後に番号３のＬＥＤパイロットランプ１０３だけが駆動されて点灯する。一方、無線周波数識別タグ１０２は識別コードを記憶しており、当該識別コード及びこの選ばれた選択肢に対応する指示データがデータ読込モジュール２０１に送信される。無線周波数読込器２０２が上記識別コード及び選ばれた選択肢に対応する指示データを受信した後、上記識別コード及び選ばれた選択肢に対応する指示データは、表示画面２０３に表示される。前記識別コードに対応する表示データはアルファベットであってもよく、例えばＦであるが、これに限られない。図１に示すように、選ばれた選択肢に対応する指示データが「３」であり、識別コードに対応する表示データがＦであるため、表示画面２０３の表示動作結果は「Ｆ００３」である。
【００２８】
また、リセットボタン１０４は、無線周波数識別タグ１０２を駆動して識別コードを再び送信し、且つデータ生成モジュール１０１を触発して再びランダムでこれらＬＥＤパイロットランプ１０３の１つを駆動してまた１つの指示信号を生成させるためのものである。リセットボタン１０４を押した後、データ生成モジュール１０１は、１組のプリセットされた識別データを送信して前の1巡の操作の時に表示画面２０３に表示させたデータを取り替える。例えばプリセットされた識別データが「Ｆ０００」である場合、画面に表示させた「Ｆ００３」がクリアされて「Ｆ０００」と表示する。それとともに、データ生成モジュール１０１は、新しい1巡の動作を開始し、即ちＬＥＤパイロットランプ１０３が予定の時間点滅し、データ生成モジュール１０１が新しい選択肢に対応する指示データを生成し、この予定時間の後、新しい選択肢に対応するＬＥＤパイロットランプ１０３だけが点灯され、且つ当該新しい選択肢に対応する指示データが識別コードとともにデータ読込モジュール２０１に送信され、表示画面２０３に表示される。
【００２９】
動作モード設定インターフェース１０５は、選択可能な選択肢数を設定し、且つ選択的に前記ＬＥＤパイロットランプ１０３の少なくとも１つを機能させなくし、その他のＬＥＤパイロットランプ１０３の１つをランダムで駆動してその他の指示信号を生成させる。図１に示すように、本実施例において、プリセットされた選択肢数が６つであるため、本装置が操作された後、ランダムで６つから１つを選ぶ結果が生成され、その機能は六面サイコロに相当する。動作モード設定インターフェース１０５は、選択肢数をその他の数に設定することができ、例えば選択肢数が４つであるように設定して四面サイコロを模擬し、又は選択肢数が２つであるように設定して銅貨の正反面を模擬する。選択肢数を設定する時に、選択的に対応する数のＬＥＤパイロットランプ１０３を機能させなくする必要があり、例えば選択肢数が４つであるように設定する場合に、この６つのＬＥＤパイロットランプ１０３における２つを機能させなくする。このため、４つから１つを選ぶ操作をする時に、その他の４つの機能するＬＥＤパイロットランプ１０３だけがランダムで駆動されて点灯する可能性があり、これで類推する。
【００３０】
つまり、選択可能な選択肢がＮであれば、動作モード設定インターフェース１０５は、選択的にＮのパイロットランプにおけるＭを機能させなくし、且つ操作結果をランダム方式で（Ｎ-Ｍ）の選択肢から１つを選ぶようにする。その内、Ｎは１より大きい正整数であり、Ｍはゼロ又は（Ｎ-１）より小さい正整数である。実際に、動作モード設定インターフェース１０５は、少なくとも１つのボタンを含んでいればよいが、これに限られない。
【００３１】
データ生成モジュール１０１は、能動的又は受動的であればよい。図２を参照する。それは本発明の一実施例による受動的なデータ生成モジュール３００の内部回路配置を示すブロック図である。データ生成モジュール３００は、主制御ユニット３０１、無線通信インターフェース３０２、データランダム選択出力装置３０３、ランダム制御ユニット３０４、リセットユニット３０５、動作モード設定ユニット３０６、識別コードユニット３０７及び無線周波数電源転換ユニット３０８を含む。その内、例えば主制御ユニット３０１、データランダム選択出力装置３０３、ランダム制御ユニット３０４及び識別コードユニット３０７のような主要な制御機構をまとめ、前記無線周波数識別タグ１０２の内部に製造して、シングルチップで実現することができる。
【００３２】
図１と図２をともに参照する。無線周波数電源転換ユニット３０８は、無線周波数読込器２０２が生成した無線周波数信号を受信し、応答電源を生成してデータ生成モジュール３００全体に電気を供給する。識別コードユニット３０７は、前記識別コードを記憶している。主制御ユニット３０１は、識別コードユニット３０７からの識別コードを受信し、且つランダム制御ユニット３０４を制御してランダムで選択肢に対応する指示データを生成することによって、６つの選択可能な選択肢から１つを選び、ランダム制御ユニット３０４がこの選ばれた選択肢に対応する指示データをデータランダム選択出力装置３０３及び主制御ユニット３０１に伝送する。
【００３３】
主制御ユニット３０１は、ランダム制御ユニット３０４からの指示データ及び識別コードユニット３０７からの識別コードを受信し、これら指示データ及び識別コードを１組の識別データとして組み合わせて、且つ当該1組の識別データを無線通信インターフェース３０２に伝送する。無線通信インターフェース３０２は、当該1組の識別データを無線周波数方式で無線周波数読込器２０２に出力する。
【００３４】
データランダム選択出力装置３０３は、前記６つのＬＥＤパイロットランプ１０３に電気的に接続され、且つ選択結果の指示データを前記６つのＬＥＤパイロットランプ１０３に出力し、６つのＬＥＤパイロットランプ１０３の１つは選択結果の指示データに対応させて指示信号を生成する。
【００３５】
実際の操作において、リセットユニット３０５は、図１に示すリセットボタン１０４に電気的に接続され、又はリセットボタン１０４を含んでもよく、リセットボタン１０４が押された時にリセット信号を生成する。また、動作モード設定ユニット３０６は、図１に示す動作モード設定インターフェース１０５に電気的に接続され、又は動作モード設定インターフェース１０５を含んでもよく、動作モード設定信号を生成する。
【００３６】
リセットボタン１０４が押された後、リセットユニット３０５は、リセット信号を主制御ユニット３０１に伝送し、主制御ユニット３０１は現在の識別データをクリアし、且つ１組のプリセットされた識別データを無線通信インターフェース３０２に送信する。その内、当該プリセットされた識別データは前記識別コードだけを含んでもよく、無線通信インターフェース３０２が当該1組のプリセットされた識別データを無線周波数読込器２０２に伝送する。
【００３７】
使用者が動作モード設定インターフェース１０５により動作モードを設定する時に、動作モード設定ユニット３０６は、動作モード設定信号を主制御ユニット３０１に伝送して、主制御ユニット３０１にまた１つの制御信号をランダム制御ユニット３０４に送信させ、動作モードによってランダム制御ユニット３０４を設定して選択肢数に対応する指示データを生成し、且つランダム選択肢出力装置３０３により選択肢数に対応するＬＥＤパイロットランプ１０３を機能させなくし、これによって選択可能な選択肢数を設定する。例えば、使用者は２つから１つを選ぶ動作モード（銅貨を模擬することに相当）を使用する場合には、動作モード設定インターフェース１０５及び動作モード設定ユニット３０６で選択肢が２つであるように設定する必要がある。この時、主制御ユニット３０１は、制御信号を発信してランダム制御ユニット３０４に選択可能な選択肢を６から２に変えさせ、且つランダム制御ユニット３０４は、データランダム選択肢出力装置３０３により６つのＬＥＤパイロットランプ１０３における４つを機能させなくする。
【００３８】
図３を参照する。それは本発明の一実施例による能動的なデータ生成モジュール４００の内部回路配置を示すブロック図である。データ生成モジュール４００は、電池４０８、主制御ユニット４０１、無線通信インターフェース４０２、データランダム選択出力装置４０３、ランダム制御ユニット４０４、リセットユニット４０５、動作モード設定ユニット４０６及び識別コードユニット４０７を含む。その内、主制御ユニット４０１、データランダム選択出力装置４０３、ランダム制御ユニット４０４及び識別コードユニット４０７のような主要な制御機構を前記無線周波数識別タグ１０２の内部に製造して、シングルチップで実現することができ、電池４０８をデータ生成モジュール４００の外から接続させ、又は内嵌合させてもよい。図２に示すデータ生成モジュール３００に比べて、本実施例におけるデータ生成モジュール４００は、主に電池４０８により能動的に電気を供給し、その他の素子の機能と相互間の操作関係はいずれも図２に類似するので、再び詳しく述べない。
【００３９】
図４を参照する。それは本発明のまた一実施形態のデータランダム選択装置を示す図である。
【００４０】
データランダム選択装置５００は、複数のデータ生成モジュールを含み、説明の便宜上、ここでは２つのデータ生成モジュール５０１と６０１だけを描いたが、これらに限られない。その内、データ生成モジュール５０１は、無線周波数識別タグ５０２、６つのＬＥＤパイロットランプ（即ち、指示ユニット、番号１〜６）５０３、リセットボタン５０４及び動作モード設定インターフェース５０５を含む。前記ＬＥＤパイロットランプ５０３、リセットボタン５０４及び動作モード設定インターフェース５０５は、いずれも無線周波数識別タグ５０２に電気的に接続される。データ生成モジュール６０１は、無線周波数識別タグ６０２、４つのＬＥＤパイロットランプ（即ち、指示ユニット、番号が東、西、南、北）６０３、リセットボタン６０４及び動作モード設定インターフェース６０５を含む。前記ＬＥＤパイロットランプ６０３、リセットボタン６０４及び動作モード設定インターフェース６０５は、いずれも無線周波数識別タグ６０２に電気的に接続される。
【００４１】
前記無線周波数識別タグ５０２と６０２は、それぞれ識別コードを記憶・送信する。各ＬＥＤパイロットランプ５０３と各ＬＥＤパイロットランプ６０３は、それぞれ指示データに対応し、且つこれらＬＥＤパイロットランプ５０３の１つ及びＬＥＤパイロットランプ６０３の１つは、無線周波数識別タグが識別コードを送信する時にランダムで駆動されて指示信号を生成する。
【００４２】
データランダム選択装置５００は、データ読込モジュール７０１を更に含む。データ読取モジュール７０１は、無線周波数読込器７０２、表示画面７０３及びアンテナ７０４を含み、その内、無線周波数読込器７０２はアンテナ７０４により無線周波数信号を送信し、表示画面７０３に電気的に接続される。無線周波数読込器７０２は、データ生成モジュール５０１と６０１のそれぞれの無線周波数識別タグ５０２と６０２が送信した識別コードを受信し、データ生成モジュール５０１と６０１においてそれぞれランダムで駆動されたこれらＬＥＤパイロットランプ５０３と６０３に対応する指示データを読み込む。表示画面７０３は、少なくとも前記ランダムで駆動されたこれらＬＥＤパイロットランプ５０３と６０３に対応するこれら指示データを出力する。本実施例のプリセットされたモード下で、データ生成モジュール５０１は、選択肢１〜６を有し、各選択肢が各番号１〜６のＬＥＤパイロットランプ５０３に対応する。データ生成モジュール６０１は、選択肢の東、西、南及び北を有し、各選択肢が番号「東」、「西」、「南」、「北」のＬＥＤパイロットランプ６０３に対応する。
【００４３】
操作する時に、無線周波数読込器７０２が無線周波数信号を発信し、無線周波数識別タグ５０２が当該無線周波数信号を受信した後、番号１〜６のＬＥＤ灯５０３は、ランダムでプリセットされた時間点滅し、このプリセットされた時間の後、選ばれた選択肢に対応するＬＥＤパイロットランプ５０３だけがランダムで駆動されて点灯し、その他のＬＥＤパイロットランプ５０３は消灯する。同様に、無線周波数識別タグ６０２が当該無線周波数信号を受信した後、番号「東」、「西」、「南」、「北」のＬＥＤ灯６０３は、ランダムでプリセットされた時間点滅し、このプリセットされた時間の後、選ばれた選択肢に対応するＬＥＤパイロットランプ６０３だけがランダムで駆動されて点灯し、その他のＬＥＤパイロットランプ６０３は消灯する。例えば、データ生成モジュール５０１が、「６」である選択肢に対応する指示データを生成すると、最後に番号６のＬＥＤパイロットランプ５０３だけが点灯される。同様に、データ生成モジュール６０１が、「東」である選択肢に対応する指示データを生成すると、最後に番号「東」のＬＥＤパイロットランプ６０３だけが点灯される。
【００４４】
一方、無線周波数識別タグ５０２は、１組の識別コードを記憶しており、当該識別コード及びデータ生成モジュール５０１から選ばれた選択肢に対応する指示データを、１組の識別データとして組み合わせて、そして当該識別データをデータ読込モジュール７０１に送信する。同様に、無線周波数識別タグ６０２も、１組の識別コードを記憶しており、当該識別コード及びデータ生成モジュール６０１から選ばれた選択肢に対応する指示データを、１組の識別データとして組み合わせて、そして当該識別データをデータ読込モジュール７０１に送信する。無線周波数読込器７０２は、前記各識別データを受信した後、各識別データを操作指令として組み合わせて、そして当該操作指令を表示画面７０３に表示する。
【００４５】
例えば、無線周波数識別タグ５０２の識別コードは、「方向」を表してもよいが、これに限られない。無線周波数識別タグ６０２の識別コードは、「ステップ数」を表してもよいが、これに限られない。図４に示すように、無線周波数識別タグ５０２で選ばれた選択肢が「６」であり、識別コードが「ステップ数」を表し、両者を識別データ「ステップ数−６」のように組み合わせる。無線周波数識別タグ６０２で選ばれた選択肢が「東」であり、識別コードが「方向」を表し、両者を識別データ「方向−東」のように組み合わせる。無線周波数読取器７０２は、前記各識別データを受信した後、各識別データを操作指令「東に向いて６ステップ歩く」のように組み合わせて、且つ表示画面７０３に出力する。
【００４６】
そして、リセットボタン５０４と６０４がそれぞれ押されると、無線周波数識別タグ５０２と６０２を駆動して識別コードを再び送信し、且つそれぞれデータ生成モジュール５０１と６０１を触発して再びランダムでこれらＬＥＤパイロットランプ５０３と６０３のいずれかを駆動してまた１つの指示信号を生成させる。リセットボタン５０４と６０４が押された後、データ生成モジュール５０１と６０１は、それぞれ１組のプリセットされた識別データを送信し、これらプリセットされた識別データは１組のリセットデータとして組み合わされて前の一巡の操作の時に表示画面７０３に表示させた操作指令を取り替える。例えば、データ生成モジュール５０１のプリセットされたリセットデータが０００であり、データ生成モジュール６０１のプリセットリセットデータも０００である場合、両者を００００００のように組み合わせ、画面に表示させていた「東に向いて６ステップ歩く」をクリアして００００００と表示する。
【００４７】
リセットボタン５０４と６０４が押されるとともに、データ生成モジュールは、新しい一巡の動作を始め、即ちＬＥＤパイロットランプ５０３と６０３がランダムで予定時間点滅し、この予定時間の後、新しい選択肢に対応するＬＥＤパイロットランプ５０３と６０３だけが点灯され、且つデータ生成モジュール５０１において新しい選択肢に対応する指示データとその識別コードが新しい１組の識別データとして組み合わされ、データ生成モジュール６０１において新しい選択肢に対応する指示データとその識別コードが新しいまた１組の識別データとして組み合わされ、各組の識別データがデータ読込モジュール７０１に送信され、新しい各組の識別データが新しい１組の操作指令として組み合わされて、表示画面７０３に表示される。
【００４８】
例えば、データ生成モジュール５０１が生成した新しい選択肢が４である場合、その識別データは「ステップ数−４」である。データ生成モジュール６０１が生成した新しい選択肢が「西」である場合、その識別データは「方向−西」である。このため、リセット後の新しい操作結果において各識別データを組み合わせた操作指令が「西に向いて４ステップ歩く」となるとともに、番号「西」のＬＥＤパイロットランプ６０３と番号４のＬＥＤパイロットランプ５０３だけが点灯される。
【００４９】
動作モード設定インターフェース５０５と６０５は、選択肢数をその他の数に設定してもよく、且つそれぞれ選択的に前記ＬＥＤパイロットランプ５０３の少なくとも１つと６０３の少なくとも１つを機能させなくし、その他のＬＥＤパイロットランプ５０３の１つがランダムで駆動されるようにしてまた１つの指示信号を生成させ、その他のＬＥＤパイロットランプ６０３の１つがランダムで駆動されるようにしてまた１つの指示信号を生成させる。その操作モードは、ほぼ図１の動作モード設定インターフェース１０５と同一である。即ち、選択可能な選択肢がＮであれば、動作モード設定インターフェース５０５と６０５は、それぞれ選択的にＮ個のパイロットランプにおけるＭ個を機能させなくし、且つ操作結果をランダム方式で（Ｎ−Ｍ）の選択肢から１つを選ぶようにし、その内、Ｎが１より大きい正整数であり、Ｍがゼロ又は（Ｎ−１）より小さい正整数である。
【００５０】
実際の操作上、動作モード設定インターフェース５０５と６０５は、少なくとも１つのボタンを含んでいればよく、又は操作の便宜上、１つのボタンにまとめてもよいが、これらに限られない。また、データ生成モジュール６０１は、４つの選択肢を有するが、６つの選択肢を有するデータ生成モジュール５０１で実現してもよく、データ生成モジュール５０１の動作モード設定インターフェース５０５によって選択肢を４つに設定できればよい。このため、ただ１種のデータ生成モジュールのハードウェアで多種のデータ生成モジュールの組み合わせの操作結果を実現できる。
【００５１】
データ生成モジュール５０１と６０１は、受動的又は能動的であればよく、即ち、その内の無線周波数識別タグが受動的又は能動的であればよい。受動的なデータ生成モジュール内部回路配置と操作形態は、ほぼ図２の実施例に類似し、能動的なデータ生成モジュール内部回路配置と操作形態は、ほぼ図３の実施例に類似するため、ここで詳しく述べない。
【００５２】
前記本発明の実施形態により、本発明を応用すると、以下の美点を有する。データ生成モジュールを用いて多種のランダムデータ選択モードを模擬でき、例えば６つから１つを選び、４つから１つを選び、２つから１つを選ぶこと等が挙げられる。複数のデータ生成モジュールの組み合わせによりデータランダム選択を行う操作で複雑な操作指令を実現できるため、賭博又はボードゲームに用いる時にゲームの柔軟性と楽しみを向上できる。そして、本発明のデータ選択装置は、体積が小さく軽便であるため、携帯性を有し且つ空間を節約できる。
【００５３】
本発明では好適な実施形態を前述の通り開示したが、これは本発明を限定するものではなく、当業者であれば、本発明の精神と領域から逸脱しない限り、多様の変動や修正を加えることができる。従って本発明の保護範囲は、特許請求の範囲で指定した内容を基準とする。
【符号の説明】
【００５４】
１００  データランダム選択装置、１０１  データ生成モジュール、１０２  無線周波数識別タグ、１０３  ＬＥＤパイロットランプ、１０４  リセットボタン、１０５  動作モード設定インターフェース、１０６  アンテナ、２０１  データ読込モジュール、２０２  無線周波数読込器、２０３  表示画面、２０４  アンテナ、３００  無線周波数識別タグ、３０１  主制御ユニット、３０２  無線通信インターフェース、３０３  データランダム選択出力装置、３０４  ランダム制御ユニット、３０５  リセットユニット、３０６  動作モード設定ユニット、３０７  識別コードユニット、３０８  無線周波数電源転換ユニット、４００  無線周波数識別タグ、４０１  主制御ユニット、４０２  無線通信インターフェース、４０３  データランダム選択出力装置、４０４  ランダム制御ユニット、４０５  リセットユニット、４０６  動作モード設定ユニット、４０７  識別コードユニット、４０８  電池、５００  データランダム選択装置、５０１  データ生成モジュール、５０２  無線周波数識別タグ、５０３  ＬＥＤパイロットランプ、５０４  リセットボタン、５０５  動作モード設定インターフェース、６０１  データ生成モジュール、６０２  無線周波数識別タグ、６０３  ＬＥＤパイロットランプ、６０４  リセットボタン、６０５  動作モード設定インターフェース、７０１  データ読込モジュール、７０２  無線周波数読込器、７０３  表示画面、７０４  アンテナ
【図１】
0005181038.tif 000002
【図２】
0005181038.tif 000003
【図３】
0005181038.tif 000004
【図４】
0005181038.tif 000005